(57)【特許請求の範囲】
【請求項１】
複数レースにまたがって一括で投票情報が入力される入力手段と、
投票情報を記憶する記憶手段と、
上位装置と通信を行う通信手段と、
投票券を発券する発券手段と、
前記入力手段により入力された投票情報を各レース毎の投票情報に変換し、１つのレースについて前記通信手段で前記上位装置に伝送し、前記上位装置が正常に受信したことを示す信号に基づいて前記入力手段により入力され各レース毎の投票情報に変換された次の投票情報を前記上位装置に伝送し、前記入力手段により入力された各レース毎の投票情報が全て正常に前記上位装置に受信された後、前記発券手段により複数レースにまたがって一括で入力された投票情報を発券する主制御部と、
を有することを特徴とした投票券発売機。
【請求項２】
複数レースにまたがった投票情報が記録された投票券の情報が入力される入力手段と、  情報を記憶する記憶手段と、
上位装置と通信を行う通信手段と、
払戻金を放出する払戻金放出手段と、
前記入力手段に入力された投票券情報を各レース毎の投票情報に変換して前記通信手段で前記上位装置に伝送し、前記上位装置から返された当たりの払戻金額を前記記憶手段に記憶しておき、前記上位装置に全ての前記変換した投票情報を送信し、送信した各レースに関する全ての投票情報に対する払戻金額の情報受信後、前記記憶手段に記憶していた払戻金額を合計して前記払戻金放出手段で払戻する主制御部と、
を有することを特徴とした投票券払戻機。
【発明の詳細な説明】
【０００１】
【発明の属する技術分野】
本発明は、競馬等の投票に対して同一の目を複数のレースで購入するときに１枚のカードによって投票する方式（レース流し投票方式）の投票券発売機及び払戻機に関する。
【０００２】
例えば、競輪、競馬等においては、投票カードから投票券を発売し、当たり投票券を入力してかけ金額を払戻する投票券発売及び払戻を行う装置は、インターフェースを介して上位集計装置と通信が行われている。
【０００３】
このような投票券発売及び払戻を行う方式において、上位集計装置及びインターフェースに何ら変更を加えることなく、新しいレース流し投票が実現できることが望まれている。
【０００４】
【従来の技術】
従来、競馬等の投票において、マークカードによる投票（通常の投票）が行われてきた。この投票に対して同一の目を複数のレースで購入するときに１枚のカードによって投票する、レース流し投票方式は既に提案されている（特願平８−２８３８７９号参照）。以下、図６〜図７に従って従来例の説明をする。
【０００５】
（１）：レース流し投票カードの説明
図６は従来のレース流し投票カードの説明図である。図６において、レース流し投票カードには、３つのベット２１、式別指定領域２４、場名指定領域２５、カード識別部２６、レース番号指定領域３０が設けてある。各ベット２１には、枠番指定領域２２、金額指定領域２３が設けてある。
【０００６】
ベット２１には、３つのベットが示されているが、これに限るものではない。枠番指定領域２２は、１から８までの８個の枠番が設けられている。この枠番には２〜３個の馬番（図示せず）が割り付けられる。この枠番も８個に限るものではない。金額指定領域２３には、金額欄と単位欄が設けてあり、金額欄は「１０」、「５」、「２」、「１」よりなり、単位欄は「万」、「千」、「百」よりなる。
【０００７】
式別指定領域２４には、単勝、複勝、連勝の塗りつぶす（マークする）枠が設けてあり、単勝とは１着になる馬番を当てるものであり、複勝とは指定された１頭の馬が３着までに入れば当たりとするものである。連勝とは指定された２個の枠番号が１着、２着で当たりとするものである。
【０００８】
場名指定領域２５には、レース場として札幌、中京、新潟の塗りつぶす枠が設けてある。カード識別部２６は、カードの種類を識別するもので、通常の投票カードとながし投票カードとを識別するものである。レース番号指定領域３０には、各レース番号と、全レースを示す塗りつぶす枠（記入欄）が設けてある。
【０００９】
この例では、連勝式が指定され、レース場としては新潟が指定されている。そして、ながしレース番号として４、５、６、７レースが指定されている。第１ベット目は１−２枠が指定され、かけ金は５千円である。第２ベット目は１−３枠が指定され、かけ金は２千円である。第３ベット目は空き（指定なし）である。
【００１０】
つまり、この投票カードの場合、お客はレースを観戦していて、１枠に勝馬が多いことに着目して、第４レース目から１枠を軸として１−２枠と１−３枠を指定し、第７レースまで同じ条件で投票したものである。即ち、第４レースから第７レースまで、１−２枠で５千円、１−３枠２千円を投票している。
【００１１】
（２）：投票券発売の説明
図７は従来の投票券発売の説明図であり、図７（ａ）は投票券発売機の説明、図７（ｂ）は投票券の説明である。
【００１２】
図７（ａ）において、上位集計装置（ホストコンピュータ）と接続された投票券発売機（端末機）２０には、演算処理部４０、投票カード８を読み取る投票カード読取部４２、データ入力部４４、投票券９を発売する発券部６０が設けてある。
【００１３】
演算処理部４０は、投票カード読取部４２の読み取り結果又はデータ入力部４４の入力結果に基づき、ながしレース番号と枠番と掛け金を基に投票金額を演算するものである。投票カード読取部４２は、投票カード８の内容を読み取るものである。データ入力部４４は、投票カードに記録される内容と同じ情報を入力できるものである。発券部６０は、演算処理部４０の出力を受けて馬券等の投票券９を発売するものである。
【００１４】
この投票券発売機２０の動作は、投票カード読取部４２で入力された投票カード８の情報を読み取り、読み取った投票カード８がレース流し投票カードであった場合、投票カード読取部４２は、レース場名、レース番号、式別、投票ベットの情報を読み取る。例えば、ベットのマークが第２ベットまでで、その枠番とかけ金額が図６に示すものと同じであった場合、１レース毎のかけ金額は５千円＋２千円の７千円である。レース数は第４レース〜第７レースまでの４レースであるから、合計金額は７千円×４＝２万８千円となる。
【００１５】
ここで、お客が２万８千円を入金すると、演算処理部４０は上位集計装置に当該投票カードの通番と、レース毎に枠番と、かけ金額と、合計金額を通知し、上位集計装置はこれらの情報を記憶する。
【００１６】
同時に演算処理部４０は発券部６０に読み込んだ投票カードの情報を通知し、投票券（馬券）９の表面に馬券の種類と、枠番とかけ金を印刷し、また、投票券９の裏面に表面と同じ情報を磁気記憶形式で書き込み、投票券９を発売する。
【００１７】
このようにして発売された投票券の一例を図７（ｂ）に示してある。図７（ｂ）において、レース場が「新潟」、かけたレース番号が４Ｒ〜７Ｒまでの４レース、式別が「連勝複式」、１−２枠に５０００円、１−３枠に２０００円かけた例を示している。この場合に、お客が支払うかけ金額は、７０００円×４の２万８千円となる。
【００１８】
なお、お客は、当たり馬券となった場合には、その投票券９を投票券払戻機（例えば図７（ａ）の投票券発売機２０に兼ねさせることもできる）に当該投票券９を挿入し、内部の読取部は、投票券９の通番と、レース番号と、枠番と、かけ金を読み出し、上位集計装置に通知する。上位集計装置は入力されたデータから当該馬券が当たり馬券であることを確認すると、お客が申し込んだ金額にオッズを乗算した金額を計算し、その合計額を投票券払戻機からお客に払い戻す。
【００１９】
【発明が解決しようとする課題】
前記従来のものは、端末機（投票券発売機、投票券払戻機等）の読み取ったレースながし投票情報は、従来（各レース毎の投票情報）の上位集計装置間のインターフェース規約には、そのまま当てはまる電文形式が無く、この投票方式を採用する為には、インターフェース及び上位集計装置を修正する必要が有り、多大な時間と費用がかかる問題があった。
【００２０】
本発明は、このような従来の課題を解決し、従来の上位集計装置及びインターフェースに何ら変更を加えることなく新しいレース流し投票を実現して、実現のために多大な時間と費用がかからないようにすることを目的とする。
【００２１】
【課題を解決するための手段】
図１は本発明の原理説明図である。図１中、２ａは主制御部、３ａは記憶手段、４ａは通信手段、５は入力手段、６ａは発券手段、７ａは上位装置、１０ａは払戻金放出手段である。
【００２２】
本発明は前記従来の課題を解決するため次のように構成した。
（１）：複数レースにまたがって一括で投票情報が入力される入力手段５と、投票情報を記憶する記憶手段３ａと、上位装置７ａと通信を行う通信手段４ａと、投票券を発券する発券手段６ａと、前記入力手段５により入力された投票情報を各レース毎の投票情報に変換し、１つのレースについて前記通信手段４ａで前記上位装置７ａに伝送し、前記上位装置７ａが正常に受信したことを示す信号に基づいて前記入力手段５により入力され各レース毎の投票情報に変換された次の投票情報を前記上位装置７ａに伝送し、前記入力手段５により入力された各レース毎の投票情報が全て正常に前記上位装置７ａに受信された後、前記発券手段６ａにより複数レースにまたがって一括で入力された投票情報を発券する主制御部２ａと、を有する。
【００２３】
（２）：複数レースにまたがった投票情報が記録された投票券の情報が入力される入力手段５と、情報を記憶する記憶手段３ａと、上位装置７ａと通信を行う通信手段４ａと、払戻金を放出する払戻金放出手段１０ａと、前記入力手段５に入力された投票券情報を各レース毎の投票情報に変換して前記通信手段４ａで前記上位装置７ａに伝送し、前記上位装置７ａから返された当たりの払戻金額を前記記憶手段３ａに記憶しておき、前記上位装置７ａに全ての前記変換した投票情報を送信し、送信した各レースに関する全ての投票情報に対する払戻金額の情報受信後、前記記憶手段３ａに記憶していた払戻金額を合計して前記払戻金放出手段１０ａで払戻する主制御部２ａと、を有する。
【００２４】
（作用）
前記構成に基づく作用を説明する。
入力手段５により入力された投票情報を各レース毎の投票情報に変換し、１つのレースについて通信手段４ａで上位装置７ａに伝送し、前記上位装置７ａが正常に受信したことを示す信号に基づいて前記入力手段５により入力され各レース毎の投票情報に変換された次の投票情報を前記上位装置７ａに伝送し、前記入力手段５により入力された各レース毎の投票情報が全て正常に前記上位装置７ａに受信された後、発券手段６ａにより複数レースにまたがって一括で入力された投票情報を発券する主制御部２ａを有する。このため、従来の上位装置及びインターフェースに何ら変更を加えることなく新しいレース流し投票券を発売することができ、この投票券発売のための多大な時間と費用を省略することができる。
【００２５】
また、入力手段５に入力された投票券情報を各レース毎の投票情報に変換して通信手段４ａで上位装置７ａに伝送し、前記上位装置７ａから返された当たりの払戻金額を記憶手段３ａに記憶しておき、前記上位装置７ａに全ての前記変換した投票情報を送信し、送信した各レースに関する全ての投票情報に対する払戻金額の情報受信後、前記記憶手段３ａに記憶していた払戻金額を合計して払戻金放出手段１０ａで払戻する主制御部２ａを有する。このため、従来の上位装置及びインターフェースに何ら変更を加えることなく新しいレース流し投票券の払戻をすることができ、この払戻のための多大な時間と費用を省略することができる。
【００２６】
【発明の実施の形態】
図２〜図５は本発明の実施の形態を示した図である。以下、図面に基づいて本発明の実施の形態を説明する。
（１）：投票券発売／払戻装置の説明
図２は投票券発売／払戻装置の説明図である。図２において、投票券発売／払戻装置１は、上位集計装置７と回線等で接続されている。投票券発売／払戻装置１にレース流し投票情報８ａが入力されると、投票券発売／払戻装置１の内部で従来から存在する通常の投票情報の電文形式に分解・変換して上位集計装置７に送信し、上位集計装置７が一連の電文を全て受信した時に初めて「レース流し」投票情報の送信が完了したと、装置１内部で認識し、装置１が投票券発売機として動作するのであれば当該レース流し投票情報に対応した投票券を発券する。また、装置１が投票券払戻機として動作するのであれば、送信した全ての投票情報に対して当たり・外れ・払戻金額の情報が送られてきて初めて払戻金額を表示し、硬貨、紙幣等で払戻可能とすることで、従来の（通常の投票情報の）上位集計装置及びインターフェースに何ら変更を加えることなく、新しいレース流し投票券の発券・払戻が可能となる。
【００２７】
例として、レース流し投票情報８ａとして、「？？競馬場」、「１〜３レース」、「４−５  ６００円」が投票券発売／払戻装置１に入力される。投票券発売／払戻装置１は、▲１▼「？？競馬場、１レース、４−５  ６００円」、▲２▼「？？競馬場、２レース、４−５  ６００円」、▲３▼「？？競馬場、３レース、４−５  ６００円」のように通常の投票情報の電文形式に分解・変換して上位集計装置７に送信する。上位集計装置７が一連の電文を全て受信した時に初めてレース流し投票情報８ａの送信が完了したと、装置１内部で認識し、装置１が投票券発売機として動作するのであれば当該レース流し投票情報に対応したレース流し投票券９を発券する。また、装置１が投票券払戻機として動作するのであれば、送信した全ての投票情報に対して当たり・外れ・払戻金額の情報が送られてきて初めて払戻金額を表示し、硬貨、紙幣等で払戻をする。
【００２８】
（２）：投票券発売機の説明
図３は投票券発売機の説明図である。投票券発売機１ａには、ＣＰＵ（中央処理装置）２、メモリ３、通信部４、入力部５ａ、発券部６が設けてある。
【００２９】
ＣＰＵ２は、各種の演算制御処理を行うものである。メモリ３は、投票データ等の情報を記憶するものである。通信部４は、上位集計装置７と回線等で接続され、上位集計装置７と通信を行うものである。入力部５ａは、投票カードの情報を入力するものである。発券部６は、投票券を発券するものである。
【００３０】
なお、８はレース流し投票用ＯＭＲ（光学読取装置）カードを示し、８−１はレース流し投票用ＯＭＲカード８に記入された投票情報を示している。８−１ａ、８−１ｂ、８−１ｃはメモリ３上の各レース毎の従来型の投票情報を示している。９はレース流し投票用ＯＭＲカード８の投票情報８−１に対応するレース流し投票券を示している。
【００３１】
（投票券発売機１ａの動作説明）
レース流し投票用ＯＭＲカード８が入力部５ａにかけられると、入力部５ａで読み取られたデータは、ＣＰＵ２によってレース流し投票と判断される。ＣＰＵ２は、メモリ３上に各レース毎の従来型の投票情報８−１ａ、８−１ｂ、８−１ｃに分解して記憶する。
【００３２】
次に、ＣＰＵ２は、メモリ３上の投票情報８−１ａ、８−１ｂ、８−１ｃの内まず１つを通信部４を使って上位集計装置７に送信する。その後、上位集計装置７から正常受信の信号が通信部４に帰ってきた後、次の投票情報を上位集計装置７に送る。これを投票情報が無くなるまで繰り返す。
【００３３】
そして、全ての投票情報が正常に受信された後、ＣＰＵ２は、発券部６に入力されたレース流し投票用ＯＭＲカード８の投票情報８−１に対応したレース流し投票券９を発券するように指示を出す。
【００３４】
（３）：投票券払戻機の説明
図４は投票券払戻機の説明図である。投票券払戻機１ｂには、ＣＰＵ（中央処理装置）２、メモリ３、通信部４、読取部５ｂ、表示部１０、払戻金放出部１１が設けてある。
【００３５】
ＣＰＵ２は、各種の演算制御処理を行うものである。メモリ３は、投票データ等の情報を記憶するものである。通信部４は、上位集計装置７と回線等で接続され、上位集計装置７と通信を行うものである。読取部５ｂは、レース流し投票券９の投票情報を読み取るものである。表示部１０は、払戻金額等を表示するものである。払戻金放出部１１は、紙幣及び硬貨で払戻金を放出するものである。
【００３６】
なお、９はレース流し投票券を示している。８−２ａ、８−２ｂ、８−２ｃはメモリ３上の各レース毎の従来型の投票情報を示している。
（投票券払戻機１ｂの動作説明）
レース流し投票券９が読取部５ｂにかけられると、読取部５ｂで読み取られたデータは、ＣＰＵ２によってレース流し投票と判断される。ＣＰＵ２は、メモリ３上に各レース毎の従来型の投票情報８−２ａ、８−２ｂ、８−２ｃに分解して記憶する。
【００３７】
次に、ＣＰＵ２は、メモリ３上の投票情報８−２ａ、８−２ｂ、８−２ｃの内まず１つを通信部４を使って上位集計装置７に送信する。その後、上位集計装置７から正常受信の信号及び当たり・はずれ・払戻金額の情報が通信部４に入ると、ＣＰＵ２は、メモリ３上の新たな場所にこれを記憶する。これを投票情報が無くなるまで繰り返す。
【００３８】
そして、全ての当たり・はずれ・払戻金額の情報を受信後、メモリ３上に保存した払戻金額をＣＰＵ２が合計し、表示部１０に払戻金額として表示する。或いは、払戻金放出部１１を使って払戻金を放出する。
【００３９】
（４）：フローチャートによる説明
図５は投票券発売処理フローチャートである。以下、投票券発売機１ａの処理を図５の処理Ｓ１〜処理Ｓ９に従って説明する。
【００４０】
Ｓ１：投票用のＯＭＲカードが入力部５ａにかけられると、処理Ｓ２に移る。Ｓ２：ＣＰＵ２は、入力部５ａにかけられたＯＭＲカードが、通常の投票カードかレース流し投票用ＯＭＲカード８かを判断する。この判断でレース流し投票用ＯＭＲカード８の場合は処理Ｓ３に移り、もしレース流し投票用ＯＭＲカード８で無い場合は処理Ｓ７に移る。
【００４１】
Ｓ３：ＣＰＵ２は、レース流し投票用ＯＭＲカード８からレース場名、レース番号、式別、投票ベット等の投票情報を読み込み処理Ｓ４に移る。
Ｓ４：ＣＰＵ２は、メモリ３上に各レース毎の従来型の投票情報に分解して記憶し、処理Ｓ５に移る。
【００４２】
Ｓ５：ＣＰＵ２は、メモリ３上の投票情報の内まず１つを通信部４を使って上位集計装置７に送信し、その後、上位集計装置７から正常受信の信号が通信部４に帰ってきた後、次の投票情報を上位集計装置７に送る。これを投票情報が無くなるまで繰り返し、処理Ｓ６に移る。
【００４３】
Ｓ６：全ての投票情報が正常に受信された後、ＣＰＵ２は、発券部６にレース流し投票券９を発券するように指示を出す。
Ｓ７：前記Ｓ２の判断でレース流し投票用ＯＭＲカード８でない（通常の投票カード）場合、ＣＰＵ２は、通常の投票カードから投票情報を読み込み処理Ｓ８に移る。
【００４４】
Ｓ８：ＣＰＵ２は、通信部４を使って上位集計装置７に投票情報を送信し、処理Ｓ９に移る。
Ｓ９：ＣＰＵ２は、発券部６に通常の投票券を発券するように指示を出す。
【００４５】
以上実施の形態で説明したように、投票券発売機１ａと投票券払戻機１ｂは別に設けることもできるが、投票券発売機１ａと投票券払戻機１ｂを一つの装置とすることもできる。
【００４６】
このように、主制御部（ＣＰＵ２）と記憶部（メモリ３）と通信部４と情報の入力部５ａと投票券の発券部６を持つ投票券発売機であって、入力されたレース流し投票情報を従来型の各レース毎の投票情報に変換して上位装置（上位集計装置７）に情報を伝達することによって、上位装置及びインターフェースに何ら変更を加えることなくレース流し投票を実現することができる。
【００４７】
また、主制御部（ＣＰＵ２）と記憶部（メモリ３）と通信部４と投票券の読取部５ｂと表示部１０を持つ投票券払戻機であって、入力されたレース流し投票券情報を従来型の各レース毎の投票情報に変換して上位装置（上位集計装置７）に情報を伝達し、上位装置から返された当たりの払戻金額を記憶部に記憶しておき、全ての投票券情報を送信後に記憶していた払戻金額を合計して払戻を実施することで、上位装置及びインターフェースに何ら変更を加えることなくレース流し投票を実現することができる。
【００４８】
このため、新しいレース流し投票を実現の為に多大な時間と費用をかける必要がなくなる。
【００４９】
【発明の効果】
以上説明したように、本発明によれば次のような効果がある。
（１）：レース流し投票情報が入力手段に入力された場合、該入力されたレース流し投票情報を各レース毎の投票情報に変換して通信手段で上位装置に伝送するため、従来の上位装置及びインターフェースに何ら変更を加えることなく新しいレース流し投票券を発売することができ、多大な時間と費用を省略することができる。
【００５０】
（２）：レース流し投票券情報が入力手段に入力された場合、該入力されたレース流し投票券情報を各レース毎の投票情報に変換して通信手段で上位装置に伝送し、前記上位装置から返された当たりの払戻金額を記憶手段に記憶しておき、前記上位装置に全ての前記変換した投票情報を送信後、前記記憶していた払戻金額を合計して払戻金放出手段で払戻するため、従来の上位装置及びインターフェースに何ら変更を加えることなく新しいレース流し投票券の払戻をすることができ、多大な時間と費用を省略することができる。
【図面の簡単な説明】
【図１】本発明の原理説明図である。
【図２】実施の形態における投票券発売／払戻装置の説明図である。
【図３】実施の形態における投票券発売機の説明図である。
【図４】実施の形態における投票券払戻機の説明図である。
【図５】実施の形態における投票券発売処理フローチャートである。
【図６】従来のレース流し投票カードの説明図である。
【図７】従来の投票券発売の説明図である。
【符号の説明】
２ａ  主制御部
３ａ  記憶手段
４ａ  通信手段
５  入力手段
６ａ  発券手段
７ａ  上位装置
１０ａ  払戻金放出手段
【図１】
0004240341.tif 000002
【図２】
0004240341.tif 000003
【図３】
0004240341.tif 000004
【図４】
0004240341.tif 000005
【図５】
0004240341.tif 000006
【図６】
0004240341.tif 000007
【図７】
0004240341.tif 000008